【手続補正書】
【提出日】平成17年1月19日(2005.1.19)
【手続補正１】
【補正対象書類名】明細書
【補正対象項目名】特許請求の範囲
【補正方法】変更
【補正の内容】
【特許請求の範囲】
【請求項１】
遊技者が所定の遊技を行い、遊技に応じてあらかじめ決められた個数の遊技媒体が景品として払い出される遊技機であって、
入賞に応じて遊技媒体の払出しを行う払出手段と、
前記払出手段から払い出された遊技媒体を検出する遊技媒体カウントスイッチと、
複数の入賞に応じた遊技媒体の払出しを各入賞毎に区切ることなく連続的に行うように、前記払出手段を制御する払出制御手段とを備え、
前記払出制御手段は、
複数の入賞に応じた遊技媒体の未払出総数を記憶する払出予定数カウンタに、入賞が検出されたことにもとづいて該入賞に応じて払い出すべき遊技媒体数を加算する加算手段と、
前記払出予定数カウンタに未払出の遊技媒体数が記憶されているか否かを判定する判定手段と、
遊技媒体の払出中でないときに、払出可能な遊技媒体が所定数以上確保されており、かつ、前記判定手段により前記払出予定数カウンタに未払出の遊技媒体数が記憶されていることが判定されたときに、該未払出の遊技媒体数の範囲内で前記所定数を限度として連続払出数を前記払出予定数カウンタとは異なる払出カウンタに設定する連続払出設定手段と、
前記連続払出設定手段が前記払出カウンタに連続払出数を設定したら前記払出手段の動作を開始させる払出動作開始手段と、
前記遊技媒体カウントスイッチが遊技媒体を検出すると前記払出予定数カウンタの値および前記払出カウンタの値を１減算する減算手段と、
前記減算手段の減算により前記払出カウンタの値が０になるまで連続的な払出制御を行い、連続的な払出制御が終了したら前記払出手段の動作を停止させる連続払出制御手段と、
前記連続払出制御手段による連続的な払出制御の完了前に払出制御の禁止条件が成立した場合には、当該連続的な払出制御を完了させた後、払出制御を中断する払出中断制御手段とを含む
ことを特徴とする遊技機。
【請求項２】
遊技者が所定の遊技を行い、遊技に応じてあらかじめ決められた個数の遊技媒体が景品として払い出される遊技機であって、
入賞に応じて遊技媒体の払出しを行う払出手段と、
前記払出手段から払い出された遊技媒体を検出する遊技媒体カウントスイッチと、
複数の入賞に応じた遊技媒体の払出しを各入賞毎に区切ることなく連続的に行うように、前記払出手段を制御する払出制御手段とを備え、
前記払出制御手段は、
貸出要求に基づき遊技媒体を払い出す制御が可能であり、
複数の入賞に応じた遊技媒体の未払出総数を記憶する払出予定数カウンタに、入賞が検出されたことにもとづいて該入賞に応じて払い出すべき遊技媒体数を加算する加算手段と、
前記払出予定数カウンタに未払出の遊技媒体数が記憶されているか否かを判定する判定手段と、
遊技媒体の払出中でないときに、払出可能な遊技媒体が所定数以上確保されており、かつ、前記判定手段により前記払出予定数カウンタに未払出の遊技媒体数が記憶されていることが判定されたときに、該未払出の遊技媒体数の範囲内で前記所定数を限度として連続払出数を前記払出予定数カウンタとは異なる払出カウンタに設定する連続払出設定手段と、
前記連続払出設定手段が前記払出カウンタに連続払出数を設定したら前記払出手段の動作を開始させる払出動作開始手段と、
前記遊技媒体カウントスイッチが遊技媒体を検出すると前記払出予定数カウンタの値および前記払出カウンタの値を１減算する減算手段と、
前記減算手段の減算により前記払出カウンタの値が０になるまで連続的な払出制御を行い、連続的な払出制御が終了したら前記払出手段の動作を停止させる連続払出制御手段と、
前記減算手段の減算により前記連続払出数が計数されるまで連続的な払出制御を行い、連続的な払出制御が終了したら前記払出手段の動作を停止させる連続払出制御手段と、
前記連続払出制御手段による連続的な払出制御の完了前に貸出要求が入力された場合には、連続的な払出制御を完了させた後、貸出要求に基づく遊技媒体の払出制御を開始させる貸出要求制御手段とを含む
ことを特徴とする遊技機。
【請求項３】
連続払出設定手段は、一の入賞に応じた遊技媒体の最大払出量よりも多く連続払出数を払出カウンタに設定する
請求項１または請求項２記載の遊技機。
【請求項４】
払出手段に供給される遊技媒体の状態を検出するための供給遊技媒体状態検出手段を備え、
連続払出設定手段は、前記供給遊技媒体状態検出手段の検出に基づく遊技媒体の状態に応じて、払出カウンタに連続払出数を設定する
ことを特徴とする請求項１ないし請求項３記載の遊技機。
【請求項５】
供給遊技媒体状態検出手段は、払出手段に供給される払出可能な遊技媒体が所定数以上確保されているか否かを検出可能な位置に設けられ、
連続払出設定手段は、前記供給遊技媒体状態検出手段の検出状態が所定数以上の前記遊技媒体が確保されていることを示した場合に、払出カウンタに連続払出数を設定する
請求項４記載の遊技機。
【請求項６】
供給遊技媒体状態検出手段は、遊技媒体が払出手段に供給される経路状に設けられ、
連続払出設定手段は、前記供給遊技媒体状態検出手段から払出手段までのあいだに貯留可能な遊技媒体の数量の範囲内で連続払出数を払出カウンタに設定する
ことを特徴とする請求項４または請求項５記載の遊技機。
【請求項７】
払出制御手段は、貸出要求に基づき遊技媒体を払い出す制御が可能であり、
供給遊技媒体状態検出手段から払出手段までのあいだに貯留可能な遊技媒体の数量は、
貸出要求に基づく遊技媒体の払出一単位分の数量以上であること
を特徴とする請求項６記載の遊技機。
【手続補正２】
【補正対象書類名】明細書
【補正対象項目名】０００７
【補正方法】変更
【補正の内容】
【０００７】
【課題を解決するための手段】
本発明による遊技機は、遊技者が所定の遊技を行い、遊技に応じてあらかじめ決められた個数の遊技媒体が景品として払い出される遊技機であって、入賞に応じて遊技媒体の払出しを行う払出手段と、払出手段から払い出された遊技媒体を検出する遊技媒体カウントスイッチと、複数の入賞に応じた遊技媒体の払出しを各入賞毎に区切ることなく連続的に行うように、払出手段を制御する払出制御手段とを備え、払出制御手段は、複数の入賞に応じた遊技媒体の未払出総数を記憶する払出予定数カウンタに、入賞が検出されたことにもとづいて該入賞に応じて払い出すべき遊技媒体数を加算する加算手段と、払出予定数カウンタに未払出の遊技媒体数が記憶されているか否かを判定する判定手段と、遊技媒体の払出中でないときに、払出可能な遊技媒体が所定数以上確保されており、かつ、判定手段により払出予定数カウンタに未払出の遊技媒体数が記憶されていることが判定されたときに、該未払出の遊技媒体数の範囲内で所定数を限度として連続払出数を払出予定数カウンタとは異なる払出カウンタに設定する連続払出設定手段と、連続払出設定手段が払出カウンタに連続払出数を設定したら払出手段の動作を開始させる払出動作開始手段と、遊技媒体カウントスイッチが遊技媒体を検出すると払出予定数カウンタの値および払出カウンタの値を１減算する減算手段と、減算手段の減算により払出カウンタの値が０になるまで連続的な払出制御を行い、連続的な払出制御が終了したら払出手段の動作を停止させる連続払出制御手段と、連続払出制御手段による連続的な払出制御の完了前に払出制御の禁止条件が成立した場合には、当該連続的な払出制御を完了させた後、払出制御を中断する払出中断制御手段とを含むことを特徴とするものである。
【手続補正３】
【補正対象書類名】明細書
【補正対象項目名】０００８
【補正方法】変更
【補正の内容】
【０００８】
また、本発明による遊技機は、遊技者が所定の遊技を行い、遊技に応じてあらかじめ決められた個数の遊技媒体が景品として払い出される遊技機であって、入賞に応じて遊技媒体の払出しを行う払出手段と、払出手段から払い出された遊技媒体を検出する遊技媒体カウントスイッチと、複数の入賞に応じた遊技媒体の払出しを各入賞毎に区切ることなく連続的に行うように、払出手段を制御する払出制御手段とを備え、払出制御手段は、貸出要求に基づき遊技媒体を払い出す制御が可能であり、複数の入賞に応じた遊技媒体の未払出総数を記憶する払出予定数カウンタに、入賞が検出されたことにもとづいて該入賞に応じて払い出すべき遊技媒体数を加算する加算手段と、払出予定数カウンタに未払出の遊技媒体数が記憶されているか否かを判定する判定手段と、遊技媒体の払出中でないときに、払出可能な遊技媒体が所定数以上確保されており、かつ、判定手段により払出予定数カウンタに未払出の遊技媒体数が記憶されていることが判定されたときに、該未払出の遊技媒体数の範囲内で所定数を限度として連続払出数を払出予定数カウンタとは異なる払出カウンタに設定する連続払出設定手段と、連続払出設定手段が払出カウンタに連続払出数を設定したら払出手段の動作を開始させる払出動作開始手段と、遊技媒体カウントスイッチが遊技媒体を検出すると払出予定数カウンタの値および払出カウンタの値を１減算する減算手段と、減算手段の減算により払出カウンタの値が０になるまで連続的な払出制御を行い、連続的な払出制御が終了したら払出手段の動作を停止させる連続払出制御手段と、減算手段の減算により連続払出数が計数されるまで連続的な払出制御を行い、連続的な払出制御が終了したら払出手段の動作を停止させる連続払出制御手段と、連続払出制御手段による連続的な払出制御の完了前に貸出要求が入力された場合には、連続的な払出制御を完了させた後、貸出要求に基づく遊技媒体の払出制御を開始させる貸出要求制御手段とを含むことを特徴とする遊技機。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
連続払出設定手段は、一の入賞に応じた遊技媒体の最大払出量よりも多く連続払出数を払出カウンタに設定する構成としてもよい。
【手続補正６】
【補正対象書類名】明細書
【補正対象項目名】００１１
【補正方法】変更
【補正の内容】
【００１１】
払出手段に供給される遊技媒体の状態を検出するための供給遊技媒体状態検出手段を備え、連続払出設定手段は、供給遊技媒体状態検出手段の検出に基づく遊技媒体の状態に応じて、払出カウンタに連続払出数を設定するようにしてもよい。
【手続補正７】
【補正対象書類名】明細書
【補正対象項目名】００１２
【補正方法】変更
【補正の内容】
【００１２】
供給遊技媒体状態検出手段は、払出手段に供給される払出可能な遊技媒体が所定数以上確保されているか否かを検出可能な位置に設けられ、連続払出設定手段は、供給遊技媒体状態検出手段の検出状態が所定数以上の遊技媒体が確保されていることを示した場合に、払出カウンタに連続払出数を設定するようにしてもよい。
【手続補正８】
【補正対象書類名】明細書
【補正対象項目名】００１３
【補正方法】変更
【補正の内容】
【００１３】
供給遊技媒体状態検出手段は、遊技媒体が払出手段に供給される経路上に設けられ、連続払出設定手段は、供給遊技媒体状態検出手段から払出手段までのあいだに貯留可能な遊技媒体の数量の範囲内で連続払出数を払出カウンタに設定するように構成されていてもよい。
【手続補正９】
【補正対象書類名】明細書
【補正対象項目名】００１５
【補正方法】削除
【補正の内容】
【手続補正１０】
【補正対象書類名】明細書
【補正対象項目名】０１７５
【補正方法】変更
【補正の内容】
【０１７５】
【発明の効果】
以上のように本発明によれば、遊技者が所定の遊技を行い、遊技に応じてあらかじめ決められた個数の遊技媒体が景品として払い出される遊技機であって、入賞に応じて遊技媒体の払出しを行う払出手段と、払出手段から払い出された遊技媒体を検出する遊技媒体カウントスイッチと、複数の入賞に応じた遊技媒体の払出しを各入賞毎に区切ることなく連続的に行うように、払出手段を制御する払出制御手段とを備え、払出制御手段は、複数の入賞に応じた遊技媒体の未払出総数を記憶する払出予定数カウンタに、入賞が検出されたことにもとづいて該入賞に応じて払い出すべき遊技媒体数を加算する加算手段と、払出予定数カウンタに未払出の遊技媒体数が記憶されているか否かを判定する判定手段と、遊技媒体の払出中でないときに、払出可能な遊技媒体が所定数以上確保されており、かつ、判定手段により払出予定数カウンタに未払出の遊技媒体数が記憶されていることが判定されたときに、該未払出の遊技媒体数の範囲内で所定数を限度として連続払出数を払出予定数カウンタとは異なる払出カウンタに設定する連続払出設定手段と、連続払出設定手段が払出カウンタに連続払出数を設定したら払出手段の動作を開始させる払出動作開始手段と、遊技媒体カウントスイッチが遊技媒体を検出すると払出予定数カウンタの値および払出カウンタの値を１減算する減算手段と、減算手段の減算により払出カウンタの値が０になるまで連続的な払出制御を行い、連続的な払出制御が終了したら払出手段の動作を停止させる連続払出制御手段と、連続払出制御手段による連続的な払出制御の完了前に払出制御の禁止条件が成立した場合には、当該連続的な払出制御を完了させた後、払出制御を中断する払出中断制御手段とを含むことを特徴とするため、連続払出数を設定して区切りの良い遊技媒体の払出を行うことができ、適正な払出制御を実現することができる。また、払出カウンタが計数するまで連続的に払出を行うことができるため、連続的な払出処理の途中で払出が停止されることがない。また、賞球個数毎に別個にメモリ領域を確保することを要しないため、メモリに必要とされる記憶容量の節減を図ることができ、また、払出予定数カウンタにて一括して管理することができるため容易に未払いの賞球個数を管理することができる。さらに、払出処理実行中に玉切れや下皿満タン状態となってしまっても、実行中の連続払出数の遊技媒体の払出を行うことができるため、常に区切りの良い状態で払出停止状態とすることができる。
【手続補正１１】
【補正対象書類名】明細書
【補正対象項目名】０１７６
【補正方法】変更
【補正の内容】
【０１７６】
また、以上のように本発明によれば、遊技者が所定の遊技を行い、遊技に応じてあらかじめ決められた個数の遊技媒体が景品として払い出される遊技機であって、入賞に応じて遊技媒体の払出しを行う払出手段と、払出手段から払い出された遊技媒体を検出する遊技媒体カウントスイッチと、複数の入賞に応じた遊技媒体の払出しを各入賞毎に区切ることなく連続的に行うように、払出手段を制御する払出制御手段とを備え、払出制御手段は、貸出要求に基づき遊技媒体を払い出す制御が可能であり、複数の入賞に応じた遊技媒体の未払出総数を記憶する払出予定数カウンタに、入賞が検出されたことにもとづいて該入賞に応じて払い出すべき遊技媒体数を加算する加算手段と、払出予定数カウンタに未払出の遊技媒体数が記憶されているか否かを判定する判定手段と、遊技媒体の払出中でないときに、払出可能な遊技媒体が所定数以上確保されており、かつ、判定手段により払出予定数カウンタに未払出の遊技媒体数が記憶されていることが判定されたときに、該未払出の遊技媒体数の範囲内で所定数を限度として連続払出数を払出予定数カウンタとは異なる払出カウンタに設定する連続払出設定手段と、連続払出設定手段が払出カウンタに連続払出数を設定したら払出手段の動作を開始させる払出動作開始手段と、遊技媒体カウントスイッチが遊技媒体を検出すると払出予定数カウンタの値および払出カウンタの値を１減算する減算手段と、減算手段の減算により払出カウンタの値が０になるまで連続的な払出制御を行い、連続的な払出制御が終了したら払出手段の動作を停止させる連続払出制御手段と、減算手段の減算により連続払出数が計数されるまで連続的な払出制御を行い、連続的な払出制御が終了したら払出手段の動作を停止させる連続払出制御手段と、連続払出制御手段による連続的な払出制御の完了前に貸出要求が入力された場合には、連続的な払出制御を完了させた後、貸出要求に基づく遊技媒体の払出制御を開始させる貸出要求制御手段とを含むことを特徴とするため、連続払出数を設定して区切りの良い遊技媒体の払出を行うことができ、適正な払出制御を実現することができる。また、払出カウンタが計数するまで連続的に払出を行うことができるため、連続的な払出処理の途中で払出が停止されることがない。また、賞球個数毎に別個にメモリ領域を確保することを要しないため、メモリに必要とされる記憶容量の節減を図ることができ、また、払出予定数カウンタにて一括して管理することができるため容易に未払いの賞球個数を管理することができる。さらに、払出処理実行中に玉切れや下皿満タン状態となってしまっても、実行中の連続払出数の遊技媒体の払出を行うことができるため、常に区切りの良い状態で払出停止状態とすることができる。
【手続補正１２】
【補正対象書類名】明細書
【補正対象項目名】０１７７
【補正方法】削除
【補正の内容】
【手続補正１３】
【補正対象書類名】明細書
【補正対象項目名】０１７８
【補正方法】変更
【補正の内容】
【０１７８】
連続払出設定手段は、一の入賞に応じた遊技媒体の最大払出量よりも多く連続払出数を払出カウンタに設定する構成とした場合には、一単位分の賞球の払出量を確保することができ、一回の連続的な払出動作で払い出される賞球について区切りの良い払い出しが可能となる。
【手続補正１４】
【補正対象書類名】明細書
【補正対象項目名】０１７９
【補正方法】変更
【補正の内容】
【０１７９】
払出手段に供給される遊技媒体の状態を検出するための供給遊技媒体状態検出手段を備え、連続払出設定手段は、供給遊技媒体状態検出手段の検出に基づく遊技媒体の状態に応じて、払出カウンタに連続払出数を設定するとした場合には、準備されている遊技媒体の状態に応じて実際に払出すことができる適切な連続払出数を設定することができる。
【手続補正１５】
【補正対象書類名】明細書
【補正対象項目名】０１８０
【補正方法】変更
【補正の内容】
【０１８０】
供給遊技媒体状態検出手段は、払出手段に供給される払出可能な遊技媒体が所定個以上確保されているか否かを検出可能な位置に設けられ、連続払出設定手段は、供給遊技媒体状態検出手段の検出状態が所定個以上の遊技媒体が確保されていることを示した場合に、払出カウンタに連続払出数を設定するとした場合には、確保されていると認識されている遊技媒体を連続払出数として設定することができ、実際に払出すことができる適切な連続払出数を設定することができる。
【手続補正１６】
【補正対象書類名】明細書
【補正対象項目名】０１８１
【補正方法】変更
【補正の内容】
【０１８１】
供給遊技媒体状態検出手段は、遊技媒体が払出手段に供給される経路上に設けられ、連続払出設定手段は、供給遊技媒体状態検出手段から払出手段までのあいだに貯留可能な遊技媒体の数量の範囲内で連続払出数を払出カウンタに設定するとした場合には、認識可能な遊技媒体個数を連続払出数として設定することができ、実際に払出すことができる適切な連続払出数を設定することができる。
【手続補正１７】
【補正対象書類名】明細書
【補正対象項目名】０１８３
【補正方法】削除
【補正の内容】